(57)【要約】      （修正有）【課題】防虫網の取付作業の効率化を図ることが可能となる、火災検出装置を提供する。【解決手段】火災検出装置１は、検出空間６０に外乱光が入射することを抑制するための検出部カバー７０と、検出空間６０及び検出部カバー７０を収容する内カバー３０と、内カバー３０を収容する外カバー２０と、内カバー３０の側部のうち設置面側の側部とは反対側の側部に設けられた第１開口部３０ａと、検出部カバー７０の側部のうち設置面側の側部とは反対側の側部に設けられた第２開口部７０ａと、検出部カバー７０に設けられた平板状の防虫網５０と、を備える。防虫網５０は、第２開口部全体７０ａを略覆う。【選択図】図３
2020003844.tif 000002
【特許請求の範囲】
【請求項１】
設置対象物の設置面に取り付けられる火災検出装置であり、監視領域の火災を検出するための火災検出装置であって、
検出対象の検出を行う検出空間と、
前記検出空間に外乱光が入射することを抑制するための入射抑制手段であって、前記検出空間の外周を覆うように設けられた入射抑制手段と、
前記検出空間及び前記入射抑制手段を収容する内側収容手段と、
前記内側収容手段を収容する外側収容手段であって、前記検出対象を含む気体を当該外側収容手段に流入出させることが可能な外側収容手段と、
前記内側収容手段の側部のうち前記設置面側の側部とは反対側の側部に設けられた第１開口部であって、前記外側収容手段に流入した前記気体を前記内側収容手段に流入させるための第１開口部と、
前記入射抑制手段の側部のうち前記設置面側の側部とは反対側の側部に設けられた第２開口部であって、前記内側収容手段に流入した前記気体を前記検出空間に流入させるための第２開口部と、
前記内側収容手段又は前記入射抑制手段に設けられた平板状の防虫網であって、前記第１開口部全体又は前記第２開口部全体を略覆うように構成された防虫網と、
を備えた火災検出装置。
【請求項２】
前記防虫網の略全体が前記第１開口部を介して前記内側収容手段の外部に露出するように、前記第１開口部を構成した、
請求項１に記載の火災検出装置。
【請求項３】
前記防虫網を、前記入射抑制手段において前記第２開口部全体を略覆うように設け、
前記第１開口部を介して前記防虫網が前記入射抑制手段に対して着脱自在となるように、前記防虫網、前記第１開口部、及び前記入射抑制手段を構成した、
請求項１又は２に記載の火災検出装置。
【請求項４】
前記防虫網を前記内側収容手段において前記第１開口部全体を略覆うように設け、
前記防虫網が前記内側収容手段に対して着脱自在となるように、前記防虫網及び前記内側収容手段を構成した、
請求項１又は２に記載の火災検出装置。
【請求項５】
前記外側収容手段の一部を、前記防虫網が前記内側収容手段又は前記入射抑制手段から脱落を防止するための脱落防止手段として形成した、
請求項１から４のいずれか一項に記載の火災検出装置。
【請求項６】
設置対象物の設置面に取り付けられる火災検出装置であり、監視領域の火災を検出するための火災検出装置であって、
検出対象の検出を行う検出空間と、
前記検出空間に外乱光が入射することを抑制しながら、前記検出対象を含む気体を流入出させることが可能な入射抑制手段であって、前記検出空間の外周を覆うように設けられた入射抑制手段と、
前記検出空間及び前記入射抑制手段を収容する内側収容手段と、
前記内側収容手段を収容する外側収容手段であって、前記検出対象を含む気体を当該外側収容手段に流入出させることが可能な外側収容手段と、
前記内側収容手段の側部のうち前記設置面側の側部とは反対側の側部に設けられた開口部であって、前記外側収容手段に流入した前記気体を前記内側収容手段に流入させるための開口部と、
前記内側収容手段に設けられた平板状の防虫網であって、前記開口部全体を略覆うように構成された防虫網と、を備え、
前記防虫網が前記内側収容手段に対して着脱自在となるように、前記防虫網及び前記内側収容手段を構成した、
火災検出装置。
【請求項７】
前記内側収容手段は、前記内側収容手段の側部のうち前記設置面側の側部とは反対側の側部に設けられた挟込手段であって、前記防虫網を着脱自在に挟み込むための挟込手段を備えた、
請求項６に記載の火災検出装置。
【請求項８】
前記防虫網と、前記第１開口部、前記第２開口部、又は前記開口部とを、円形状に形成した、
請求項１から７のいずれか一項に記載の火災検出装置。
【発明の詳細な説明】
【技術分野】
【０００１】
本発明は、火災検出装置に関する。
【背景技術】
【０００２】
従来、監視領域の火災を検出する煙感知器を対象として、煙感知器の内部に位置する検出空間に虫が侵入することを防止するための技術が提案されている。この技術においては、検出空間と、検出空間の外周及び裏面を覆うラビリンスと、ラビリンスを構成する検知部の外周を覆う円筒状の防虫網と、検出空間の表面を覆うと共に、検出空間、ラビリンス、及び防虫網を収容する中空状の内カバーと、内カバーの収容する中空状の外カバーとを備えた煙感知器が構成されている（例えば、特許文献１参照）。
【先行技術文献】
【特許文献】
【０００３】
【特許文献１】国際公開第２０１６／００９４６０号
【発明の概要】
【発明が解決しようとする課題】
【０００４】
しかしながら、上記従来の技術においては、上述したように、内カバーの内部において、円筒状の防虫網が検知部の外周を覆うように設けられているので、防虫網を取り付ける際に、長方形状の防虫網を円筒状に変形させた後に、円筒状の防虫網の内縁部がラビリンスの外縁部を覆うように防虫網をラビリンスに嵌め込むといった煩雑な作業が必要になることから、当該作業の効率性の観点からは改善の余地があった。
【０００５】
本発明は上記問題に鑑みてなされたもので、防虫網の取付作業の効率化を図ることが可能となる、火災検出装置を提供することを目的とする。
【課題を解決するための手段】
【０００６】
上述した課題を解決し、目的を達成するために、請求項１に記載の火災検出装置は、設置対象物の設置面に取り付けられる火災検出装置であり、監視領域の火災を検出するための火災検出装置であって、検出対象の検出を行う検出空間と、前記検出空間に外乱光が入射することを抑制するための入射抑制手段であって、前記検出空間の外周を覆うように設けられた入射抑制手段と、前記検出空間及び前記入射抑制手段を収容する内側収容手段と、前記内側収容手段を収容する外側収容手段であって、前記検出対象を含む気体を当該外側収容手段に流入出させることが可能な外側収容手段と、前記内側収容手段の側部のうち前記設置面側の側部とは反対側の側部に設けられた第１開口部であって、前記外側収容手段に流入した前記気体を前記内側収容手段に流入させるための第１開口部と、前記入射抑制手段の側部のうち前記設置面側の側部とは反対側の側部に設けられた第２開口部であって、前記内側収容手段に流入した前記気体を前記検出空間に流入させるための第２開口部と、前記内側収容手段又は前記入射抑制手段に設けられた平板状の防虫網であって、前記第１開口部全体又は前記第２開口部全体を略覆うように構成された防虫網と、を備えた。
【０００７】
請求項２に記載の火災検出装置は、請求項１に記載の火災検出装置において、前記防虫網の略全体が前記第１開口部を介して前記内側収容手段の外部に露出するように、前記第１開口部を構成した。
【０００８】
請求項３に記載の火災検出装置は、請求項１又は２に記載の火災検出装置において、前記防虫網を、前記入射抑制手段において前記第２開口部全体を略覆うように設け、前記第１開口部を介して前記防虫網が前記入射抑制手段に対して着脱自在となるように、前記防虫網、前記第１開口部、及び前記入射抑制手段を構成した。
【０００９】
請求項４に記載の火災検出装置は、請求項１又は２に記載の火災検出装置において、前記防虫網を前記内側収容手段において前記第１開口部全体を略覆うように設け、前記防虫網が前記内側収容手段に対して着脱自在となるように、前記防虫網及び前記内側収容手段を構成した。
【００１０】
請求項５に記載の火災検出装置は、請求項１から４のいずれか一項に記載の火災検出装置において、前記外側収容手段の一部を、前記防虫網が前記内側収容手段又は前記入射抑制手段から脱落を防止するための脱落防止手段として形成した。
【００１１】
請求項６に記載の火災検出装置は、設置対象物の設置面に取り付けられる火災検出装置であり、監視領域の火災を検出するための火災検出装置であって、検出対象の検出を行う検出空間と、前記検出空間に外乱光が入射することを抑制しながら、前記検出対象を含む気体を流入出させることが可能な入射抑制手段であって、前記検出空間の外周を覆うように設けられた入射抑制手段と、前記検出空間及び前記入射抑制手段を収容する内側収容手段と、前記内側収容手段を収容する外側収容手段であって、前記検出対象を含む気体を当該外側収容手段に流入出させることが可能な外側収容手段と、前記内側収容手段の側部のうち前記設置面側の側部とは反対側の側部に設けられた開口部であって、前記外側収容手段に流入した前記気体を前記内側収容手段に流入させるための開口部と、前記内側収容手段に設けられた平板状の防虫網であって、前記開口部全体を略覆うように構成された防虫網と、を備え、前記防虫網が前記内側収容手段に対して着脱自在となるように、前記防虫網及び前記内側収容手段を構成した。
【００１２】
請求項７に記載の火災検出装置は、請求項６に記載の火災検出装置において、前記内側収容手段は、前記内側収容手段の側部のうち前記設置面側の側部とは反対側の側部に設けられた挟込手段であって、前記防虫網を着脱自在に挟み込むための挟込手段を備えた。
【００１３】
請求項８に記載の火災検出装置は、請求項１から７のいずれか一項に記載の火災検出装置において、前記防虫網と、前記第１開口部、前記第２開口部、又は前記開口部とを、円形状に形成した。
【発明の効果】
【００１４】
請求項１に記載の火災検出装置によれば、検出空間及び入射抑制手段を収容する内側収容手段と、内側収容手段を収容する外側収容手段と、内側収容手段の側部のうち設置面側の側部とは反対側の側部に設けられた第１開口部と、入射抑制手段の側部のうち設置面側の側部とは反対側の側部に設けられた第２開口部と、内側収容手段又は入射抑制手段に設けられた平板状の防虫網であって、第１開口部全体又は第２開口部全体を略覆うように構成された防虫網と、を備えたので、防虫網の取付作業として、平板状の防虫網を第１開口部全体又は第２開口部全体を略覆うように内側収容手段又は入射抑制手段に取り付けることで足りるため、従来技術（円筒状の防虫網を、内カバーの内部において検知部の外周を覆うように設ける技術）に比べて、防虫網を簡易に取り付けることができ、当該取付作業の効率化を図ることが可能となる。また、防虫網が平板状であるので、円筒状に形成する場合に比べて防虫網を容易に製造でき、且つ防虫網のコンパクト化を図ることができ、火災検出装置の製造コストを低減し、且つ製造時の環境負荷を低減することができる。
【００１５】
請求項２に記載の火災検出装置によれば、防虫網の略全体が第１開口部を介して内側収容手段の外部に露出するように、第１開口部を構成したので、内側収容手段及び外側収容手段を設けた場合に、内側収容手段を取り外すことなく防虫網のメンテナンス作業（例えば、清掃作業、洗浄作業等）を行うことができ、当該メンテナンス作業の効率化を図ることが可能となる。
【００１６】
請求項３に記載の火災検出装置によれば、第１開口部を介して防虫網が入射抑制手段に対して着脱自在となるように、防虫網、第１開口部、及び入射抑制手段を構成したので、内側収容手段を取り外すことなく、防虫網を入射抑制手段に対して着脱自在にできる。よって、防虫網のメンテナンス作業を容易に行うことができ、防虫網のメンテナンス作業の効率化を一層図ることが可能となる。
【００１７】
請求項４に記載の火災検出装置によれば、防虫網が内側収容手段に対して着脱自在となるように、防虫網及び内側収容手段を構成したので、内側収容手段を取り外すことなく、防虫網を内側収容手段に対して着脱自在にできる。よって、防虫網のメンテナンス作業を容易に行うことができ、防虫網のメンテナンス作業の効率化を一層図ることが可能となる。
【００１８】
請求項５に記載の火災検出装置によれば、外側収容手段の一部を、防虫網が内側収容手段又は入射抑制手段から脱落を防止するための脱落防止手段として形成したので、防虫網が内側収容手段又は入射抑制手段から脱落することを防止でき、防虫網の取付性を向上できる。また、脱落防止手段用の部材を別途設ける必要がないため、脱落防止手段の設置性を向上させることができる。
【００１９】
請求項６に記載の火災検出装置によれば、検出空間及び入射抑制手段を収容する内側収容手段と、内側収容手段を収容する外側収容手段と、内側収容手段の側部のうち設置面側の側部とは反対側の側部に設けられた第１開口部と、内側収容手段に設けられた平板状の防虫網と、を備えたので、防虫網の取付作業として、平板状の防虫網を第１開口部全体を略覆うように内側収容手段に取り付けることで足りるため、従来技術（円筒状の防虫網を、内カバーの内部において検知部の外周を覆うように設ける技術）に比べて、防虫網を簡易に取り付けることができ、当該取付作業の効率化を図ることが可能となる。また、防虫網が平板状であるので、円筒状に形成する場合に比べて防虫網を容易に製造でき、且つ防虫網のコンパクト化を図ることができ、火災検出装置の製造コストを低減し、且つ製造時の環境負荷を低減することができる。さらに、防虫網が内側収容手段に対して着脱自在となるように、防虫網及び内側収容手段を構成したので、内側収容手段を取り外すことなく防虫網を内側収容手段に対して着脱自在にできる。よって、防虫網のメンテナンス作業（例えば、清掃作業、洗浄作業等）を容易に行うことができ、防虫網のメンテナンス作業の効率化を一層図ることが可能となる。
【００２０】
請求項７に記載の火災検出装置によれば、内側収容手段は、内側収容手段の側部のうち設置面側の側部とは反対側の側部に設けられた挟込手段であって、防虫網を着脱自在に挟み込むための挟込手段を備えたので、防虫網を内側収容手段に対して強固に取り付けながら、防虫網を内側収容手段に対して容易に着脱でき、防虫網のメンテナンス作業の効率化を一層図ることが可能となる。
【００２１】
請求項８に記載の火災検出装置によれば、防虫網と、第１開口部、第２開口部、又は開口部とを、円形状に形成したので、他の形状に比べて防虫網と、第１開口部、第２開口部、又は開口部との加工精度を確保しやすくなることから、防虫網と、内側収容手段又は入射抑制手段との製造性を高めることができる。また、検出対象の流入方向の依存性を比較的低減でき、特に、周方向のいずれの方向からも検出対象をほぼ同じ様態及びタイミングにて検出空間に流入させやすくなる。
【図面の簡単な説明】
【００２２】
【図１】実施の形態に係る火災検出装置の取付状況を示す側面図である。
【図２】取付ベースを取り外した状態の火災検出装置を示す底面図である。
【図３】図２のＡ−Ａ矢視断面図である。
【図４】図３の防虫網の領域の拡大図である（一部図示省略）。
【図５】内カバーの変形例を示す図であり、（ａ）は底面図、（ｂ）は（ａ）のＢ−Ｂ矢視断面図である。
【図６】図５の第１開口部の領域の拡大図を示す図である。
【発明を実施するための形態】
【００２３】
以下に、本発明に係る火災検出装置の実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２４】
〔Ｉ〕実施の形態の基本的概念
まず、実施の形態の基本的概念について説明する。実施の形態は、概略的に、設置対象物の設置面に取り付けられる火災検出装置であり、監視領域の火災を検出するための火災検出装置に関するものである。
【００２５】
ここで、「火災検出装置」は、実施の形態では、監視領域の火災を熱学的に検出して報知する装置であり、例えば、光学的な火災感知器や火災警報器等を含む概念である。また、「設置対象物」とは、火災検出装置が設置される対象物であり、例えば、建物の天井部や壁部等を含む概念です。また、「建物」とは、その具体的な構造や種類は任意であるが、例えば、戸建て住宅、アパートやマンションの如き集合住宅、オフィスビル、イベント施設、商業施設、及び公共施設等を含む概念である。また、「監視領域」とは、監視の対象となる領域であって、例えば、建物の内部の領域、建物の外部の領域等を含む概念である。また、「報知する」とは、例えば、所定情報を外部装置に向けて出力すること、所定情報を出力手段（表示手段又は音声出力手段）を介して表示又は音声出力すること等を含む概念である。以下、実施の形態では、「火災検出装置」が、「光学的な火災感知器」であり、「設置対象物」が「オフィスビルの天井部」であり、「監視領域」が「オフィスビルの内部の領域」である場合について説明する。
【００２６】
〔ＩＩ〕実施の形態の具体的内容
次に、実施の形態の具体的内容について説明する。
【００２７】
（構成）
まず、実施の形態に係る火災検出装置の構成について説明する。図１は、実施の形態に係る火災検出装置の取付状況を示す側面図である。図２は、後述の取付ベースを取り外した状態の火災検出装置を示す底面図である。図３は、図２のＡ−Ａ矢視断面図である。以下の説明では、図１のＸ方向を火災検出装置の左右方向（＋Ｘ方向を火災検出装置の左方向、−Ｘ方向を火災検出装置の右方向）、図２のＹ方向を火災検出装置の前後方向（＋Ｙ方向を火災検出装置の前方向、−Ｙ方向を火災検出装置の後方向）、図１のＺ方向を火災検出装置の上下方向（＋Ｚ方向を火災検出装置の上方向、−Ｚ方向を火災検出装置の下方向）と称する。また、図３の検出空間の中心位置を基準として、検出空間から離れる方向を「外側」と称し、検出空間に近づく方向を「内側」と称する。
【００２８】
火災検出装置１は、気体に含まれている検出対象（例えば、煙等）を検出して報知する装置である。この火災検出装置１は、建物の屋内において建物の天井部の下面にある設置面２に設置されており、図１から図３に示すように、取付ベース１０、外カバー２０、内カバー３０、流入空間４０、防虫網５０、検出空間６０、検出部カバー７０、検出部本体８０、端子盤９０、及び基板１００を備えている。
【００２９】
（構成−取付ベース）
図１に戻り、取付ベース１０は、設置面２に対して外カバー２０を取り付けるための取付手段である。この取付ベース１０は、例えば公知の火災検出装置用の取付ベース（一例として、樹脂製である略板状の取付ベース）等を用いて構成されており、図１に示すように、設置面２に対して固定具等によって固定されている。
【００３０】
（構成−外カバー）
外カバー２０は、内カバー３０、流入空間４０、防虫網５０、検出空間６０、検出部カバー７０、検出部本体８０、端子盤９０、及び基板１００を収容する外側収容手段であって、検出対象を含む気体を当該外カバー２０に流入出させることが可能な外側収容手段である。この外カバー２０は、例えば遮光性を有する樹脂材にて形成されており、図１から図３に示すように、外カバー本体２１、天面部２２、第１リブ部２３、及び第２リブ部２４を備えている。
【００３１】
このうち、外カバー本体２１は、外カバー２０の基本構造体である。この外カバー本体２１は、例えば上面及び下面が開放された略中空円柱状体にて形成されており、図１に示すように、外カバー本体２１の上端部が取付ベース１０の下面と当接するように配置され、取付ベース１０に対して嵌合構造（又は固定具）等によって固定されている。
【００３２】
また、天面部２２は、流入空間４０を区画するための区画手段である。この天面部２２は、例えば略円形状の板状体にて形成されており、図１から図３に示すように、外カバー本体２１よりも下方において略水平に設けられている。また、図１から図３に示すように、この天面部２２には、表示孔２２ａが設けられている。この表示孔２２ａは、後述する表示部から照射された光を図２のライトガイド１０４ａ及び表示孔２２ａを介して火災検出装置１の外部に導光するための貫通孔である。
【００３３】
また、第１リブ部２３は、流入空間４０を区画するための区画手段である。この第１リブ部２３は、略板状体にて形成され、外カバー本体２１と天面部２２との相互間において垂直に設けられており、具体的には、図１、図３に示すように、外カバー２０の中央付近から放射状に複数設けられ、外カバー本体２１及び天面部２２に対して接続されている。
【００３４】
また、第２リブ部２４は、流入空間４０を区画するための区画手段である。この第２リブ部２４は、略板状体にて形成され、外カバー本体２１と天面部２２との相互間において垂直に設けられており、具体的には、図１、図３に示すように、隣接する第１リブ部２３の内側端部同士の相互間に設けられ、外カバー本体２１及び天面部２２に対して接続されている。
【００３５】
（構成−流入空間）
図１に戻り、流入空間４０は、火災検出装置１の外部の気体が火災検出装置１の内部に流入させるための空間である。この流入空間４０は、外カバー２０の内部において複数形成されて、具体的には、図１、図３に示すように、外カバー２０の内部空間のうち、天面部２２、第１リブ部２３、第２リブ部２４、及び内カバー３０によって囲繞された空間が流入空間４０として形成されている。
【００３６】
（構成−内カバー）
内カバー３０は、検出空間６０、検出部カバー７０、検出部本体８０、及び基板１００を収容する内側収容手段であると共に、流入空間４０を区画するための区画手段である。この内カバー３０は、例えば、上面が開放された略中空円柱状体であり、遮光性を有する樹脂材にて形成されており、図３に示すように、外カバー２０の内部において、内カバー３０の下面が流入空間４０を介して外カバー２０の天面部２２と対向するように設けられている。また、図３に示すように、内カバー３０には、第１開口部３０ａが形成されている。第１開口部３０ａは、流入空間４０に流入した気体を内カバー３０に流入させるための開口部である。この第１開口部３０ａは、略円形状に形成され、図３に示すように、内カバー３０の側部のうち設置面２側の側部とは反対側の側部（図３では、内カバー３０の下側側部）に設けられている。
【００３７】
（構成−検出空間）
検出空間６０は、検出対象の検出を行うための空間であり、図３に示すように、内カバー３０の内部空間のうち、検出部カバー７０及び検出部本体８０によって囲繞される空間が検出空間６０として形成されている。
【００３８】
（構成−検出部カバー）
検出部カバー７０は、検出空間６０を区画するための区画手段であると共に、検出空間６０に外乱光が入射することを抑制するための入射抑制手段である。この検出部カバー７０は、上面が開放された略中空円柱状体であり、遮光性を有する樹脂材にて形成されている。また、この検出部カバー７０は、図３に示すように、内カバー３０の内部において、検出部カバー７０の下面が第１開口部３０ａ及び流入空間４０を介して外カバー２０の天面部２２と対向するように配置され、検出部本体８０に対して固定されている。また、図３に示すように、検出部カバー７０には、第２開口部７０ａが形成されている。第２開口部７０ａは、内カバー３０に流入した気体を検出空間６０に流入させるための開口部である。この第２開口部７０ａは、略円形状に形成され、図３に示すように、検出部カバー７０の側部のうち設置面２側の側部とは反対側の側部（図３では、検出部カバー７０の下側側部）に設けられている。
【００３９】
（構成−防虫網）
防虫網５０は、火災検出装置１の外部にいる虫が検出空間６０に侵入するのを防止するための網である。この防虫網５０は、平板状の網（例えば、円形状の網）を用いて構成されており、図３に示すように検出部カバー７０に取り付けられている。
【００４０】
（構成−検出部本体）
検出部本体８０は、検出部カバー７０を取り付けるための取付手段である。この検出部本体８０は、例えば遮光性を有する樹脂材にて形成されており、図３に示すように、検出部カバー７０の上面を覆うように配置されており、基板１００に対して固定具等によって固定されている。また、この検出部本体８０には、後述する第１発光部、後述する第２発光部、及び後述する受光部の各々を支持するための支持部（図示省略）がそれぞれ設けられている。さらに、この検出部本体８０には、後述する第１発光部、後述する第２発光部、及び後述する受光部の各々と検出空間６０との間の光路を形成するための光路孔（図示省略）がそれぞれ形成されている。
【００４１】
（構成−端子盤）
端子盤９０は、内カバー３０、検出部カバー７０、検出部本体８０、及び基板１００を収容するための収容手段である。この端子盤９０は、下面が開放された略中空円柱状であり、例えば遮光性を有する樹脂材にて形成されている。また、この端子盤９０は、図３に示すように、内カバー３０、検出部カバー７０、検出部本体８０、及び基板１００を上方から覆うように設けられ、外カバー２０に対して嵌合構造等によって固定されていると共に、且つ取付ベース１０に対して取付部材９１に形成された第１取付孔（図示省略）を介して固定具等によって固定されている。
【００４２】
（構成−基板）
基板１００は、各種の電気回路（図示省略）が実装される実装手段である。この基板１００は、例えば公知の平板状の回路基板等を用いて構成されており、図３に示すように、端子盤９０の内部において、端子盤９０の上端部及び下端部と間隔を隔てて略水平に配置され、端子盤９０に対して端子盤９０に形成された取付孔（図示省略）及び取付部材９１に形成された第２取付孔（図示省略）を介して固定具によって固定されている。
【００４３】
また、基板１００には、従来の火災検出装置１に用いられる公知の電子部品が実装されていることに加えて、第１発光部（図示省略）、第２発光部（図示省略）、受光部（図示省略）、表示部（図示省略）、通信部（図示省略）、電源部（図示省略）、制御部（図示省略）、及び記憶部（図示省略）が実装されている。
【００４４】
（構成−基板−第１発光部、第２発光部、受光部）
このうち、第１発光部は、検出空間６０に検出光（以下、「第１検出光」と称する）を照射する第１発光手段であり、例えば公知の発光素子（一例として赤外ＬＥＤ等）を用いて構成されている。また、第２発光部は、第１検出光とは波長が異なる検出光（以下、「第２検出光」と称する）を検出空間６０に照射する第２発光手段であり、例えば公知の発光素子（一例として青色ＬＥＤ等）を用いて構成されている。また、受光部は、第１発光部から照射された第１検出光の煙による散乱光を受光し、当該受光した散乱光に応じた第１受光信号を出力すると共に、第２発光部から照射された第２検出光の煙に対する散乱光を受光し、当該受光した散乱光に応じた第２受光信号を出力する受光手段であり、例えば公知の受光素子（一例としてフォトダイオード等）を用いて構成されている。また、第１発光部、第２発光部、及び受光部の設置方法については任意であるが、実施の形態では、第１発光部又は第２発光部から照射された第１検出光又は第２検出光が検出部本体８０の各種の光路孔を介して直接的に受光部されることを回避できるように設置している。例えば、第１発光部の光軸（以下、「第１発光側光軸」と称する）と受光部の光軸（以下、「受光側光軸」と称する）との角度が１３５°程度となる位置に、第１発光部及び受光部を設置する。また、第２発光部の光軸（以下、「第２発光側光軸」と称する）と受光側光軸との角度が９０°程度となる位置に、第２発光部及び受光部を設置している。
【００４５】
（構成−基板−表示部、通信部、電源部）
また、表示部は、各種情報（例えば、火災の検出の有無を示す情報）を表示するための表示手段であり、例えば公知の表示手段（ＬＥＤ等）を用いて構成されている。なお、この表示部の投光方法については任意であるが、例えば、内カバー３０、検出部カバー７０、及び検出部本体８０の各々に設けられた挿通孔（図示省略）及び外カバー２０の表示孔２２ａに挿通されたライトガイド１０４ａを介して表示部からの光を火災検出装置１の外部に向けて誘導することにより投光すること等が該当する。また、通信部は、外部装置（例えば、受信機等）との間で通信する通信手段である。また、電源部は、商用電源又は電池（図示省略）から供給された電力を、火災検出装置１の各部に供給する電源手段である。
【００４６】
（構成−基板−制御部、記憶部）
また、制御部は、火災検出装置１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。また、記憶部は、火災検出装置１の動作に必要なプログラム及び各種のデータを記憶する記憶手段である。この記憶部は、書き換え可能な記録媒体を用いて構成され、例えばフラッシュメモリ等の不揮発性記録媒体を用いることができる。
【００４７】
以上のような火災検出装置１により、防虫網５０の取付作業として、平板状の防虫網５０を第２開口部７０ａ全体を略覆うように検出部カバー７０に取り付けることで足りるため、従来技術（円筒状の防虫網を、内カバーの内部において検知部の外周を覆うように設ける技術）に比べて、防虫網５０を簡易に取り付けることができ、当該取付作業の効率化を図ることが可能となる。また、防虫網５０が平板状であるので、円筒状５０に形成する場合に比べて防虫網５０を容易に製造でき、且つ防虫網５０のコンパクト化を図ることができ、火災検出装置１の製造コストを低減し、且つ製造時の環境負荷を低減することができる。また、防虫網５０及び第２開口部７０ａを、円形状に形成したので、他の形状に比べて防虫網５０及び第２開口部７０ａの加工精度を確保しやすくなることから、防虫網５０及び検出部カバー７０の製造性を高めることができる。また、検出対象の流入方向の依存性を比較的低減でき、特に、周方向のいずれの方向からも検出対象をほぼ同じ様態及びタイミングにて検出空間に流入させやすくなる。
【００４８】
（構成−防虫網の取付構造）
次に、防虫網５０の取付構造について説明する。図４は、図３の防虫網５０の領域の拡大図である（一部図示省略）。防虫網５０のメンテナンス作業（例えば、清掃作業、洗浄作業、交換作業等）を効率的に行うことを可能にさせる取付構造の特徴については、実施の形態では、以下に示す通りとなる。
【００４９】
（構成−防虫網の取付構造−第１の特徴）
まず、取付構造の第１の特徴については、防虫網５０は、第２開口部７０ａ全体を略覆うように構成されている。具体的には、防虫網５０の径については、第２開口部７０ａの径よりも大きく設定している。また、防虫網５０の設置方法については、図４に示すように、検出部カバー７０の下端部において、検出部カバー７０の外側から第２開口部７０ａ全体を覆うように設置している。
【００５０】
また、第１開口部３０ａは、防虫網５０の略全体が第１開口部３０ａを介して内カバー３０の外部に露出するように構成されている。具体的には、第１開口部３０ａの径については、防虫網５０の径よりも大きく設定している。また、第１開口部３０ａの形成方法については、図４に示すように、内カバー３０の下側側部のうち防虫網５０と対応する部分に形成している。
【００５１】
このような第１の特徴により、外カバー２０及び内カバー３０を設けた場合に、内カバー３０を取り外すことなく防虫網５０のメンテナンス作業を行うことができ、当該メンテナンス作業の効率化を図ることが可能となる。
【００５２】
（構成−防虫網の取付構造−第２の特徴）
次に、取付構造の第２の特徴については、第１開口部３０ａを介して防虫網５０が検出部カバー７０に対して着脱自在となるように、防虫網５０、第１開口部３０ａ、及び検出部カバー７０は構成されている。
【００５３】
具体的には、防虫網５０及び検出部カバー７０については、図４に示すように、検出部カバー７０の下側側部に形成された円形状の凹部１１０（具体的には、第２開口部７０ａに隣接して形成された凹部１１０）に、防虫網５０が収容されていると共に、当該凹部１１０によって防虫網５０の縁端部全体が着脱自在に嵌め込まれている（あるいは、単に収容されているだけであってもよい）。また、第１開口部３０ａについては、第１開口部３０ａの径を、凹部１１０の径よりも大きく設定している。また、第１開口部３０ａの形成方法については、図４に示すように、検出部カバー７０の下側側部のうち、凹部１１０と対応する部分であって、凹部１１０全体が内カバー３０の外部に露出可能な部分に形成している。
【００５４】
このような第２の特徴により、内カバー３０を取り外すことなく、防虫網５０を検出部カバー７０に対して着脱できる。よって、防虫網５０のメンテナンス作業を容易に行うことができ、防虫網５０のメンテナンス作業の効率化を一層図ることが可能となる。
【００５５】
（構成−防虫網の取付構造−第３の特徴）
図３に戻り、次いで、取付構造の第３の特徴については、図３、図４に示すように、火災検出装置１は、脱落防止部１２０をさらに備えている。
【００５６】
脱落防止部１２０は、防虫網５０が検出部カバー７０から脱落を防止するための脱落防止手段である。この脱落防止部１２０は、外カバー２０の一部から形成されており、具体的には、図３、図４に示すように、少なくとも１つ以上の第２リブ部２４から形成されている（図４では、複数の第２リブ部２４から形成されている）。
【００５７】
ここで、脱落防止部１２０の具体的な大きさについては任意であるが、実施の形態では、脱落防止部１２０の上下方向の長さについては、図４に示すように、当該脱落防止部１２０の上端部が防虫網５０と当接可能な長さに設定している。より具体的には、脱落防止部１２０の上端部が防虫網５０と常時当接する長さに設定してもよく、あるいは、防虫網５０が凹部１１０内において所定距離だけ下方移動した際に、脱落防止部１２０の上端部が防虫網５０と当接する長さに設定してもよい。また、脱落防止部１２０の左右方向の長さ及び前後方向の長さの各々については、図４に示すように、脱落防止部１２０の上端部が凹部１１０に収容可能な長さに設定しており、より具体的には、凹部１１０の径よりも小さく設定している。
【００５８】
このような第３の特徴により、防虫網５０が検出部カバー７０から脱落することを防止でき、防虫網５０の取付性を向上できる。また、脱落防止部用の部材を別途設ける必要がないため、脱落防止部１２０の設置性を向上させることができる。
【００５９】
（防虫網のメンテナンス方法について）
続いて、実施の形態に係る防虫網５０のメンテナンス方法（ここでは、清掃作業に関する方法）について説明する。
【００６０】
すなわち、例えば、火災検出装置１が設置面２に取り付けられた状態において、まず、外カバー２０を取付ベース１０から取り外す。次に（あるいは、取付ベース１０を取り外したタイミングで）、検出部カバー７０の凹部１１０に収容された防虫網５０を第１開口部３０ａを介して検出部カバー７０から取り出した後、当該取り出した防虫網５０に付着した異物等を取り除く。そして、上記取り出した防虫網５０を第１開口部３０ａを介して凹部１１０に嵌め込み、その後外カバー２０を取付ベース１０に対して取り付ける。これにて、防虫網５０のメンテナンスを終了する。
【００６１】
ただし、防虫網５０のメンテナンス方法は、上述した方法に限らない。例えば、防虫網５０が凹部１１０に対して脱落しない程度に嵌合されている場合には、外カバー２０を取付ベース１０から取り外した後に、公知の吸引装置によって第１開口部３０ａを介して凹部１１０に収容された防虫網５０の異物を吸引し、その後外カバー２０を取付ベース１０に対して取り付けてもよい。これにより、防虫網５０を取り外すことなく、防虫網５０のメンテナンス作業を行うことができる。
【００６２】
（実施の形態の効果）
このように実施の形態によれば、検出空間６０及び検出部カバー７０を収容する内カバー３０と、内カバー３０を収容する外カバー２０と、内カバー３０の側部のうち設置面２側の側部とは反対側の側部に設けられた第１開口部３０ａと、検出部カバー７０の側部のうち設置面２側の側部とは反対側の側部に設けられた第２開口部７０ａと、検出部カバー７０に設けられた平板状の防虫網５０であって、第２開口部７０ａ全体を略覆うように構成された防虫網５０と、を備えたので、防虫網５０の取付作業として、平板状の防虫網５０を第２開口部７０ａ全体を略覆うように検出部カバー７０に取り付けることで足りるため、従来技術（円筒状の防虫網を、内カバーの内部において検知部の外周を覆うように設ける技術）に比べて、防虫網５０を簡易に取り付けることができ、当該取付作業の効率化を図ることが可能となる。また、防虫網５０が平板状であるので、円筒状５０に形成する場合に比べて防虫網５０を容易に製造でき、且つ防虫網５０のコンパクト化を図ることができ、火災検出装置１の製造コストを低減し、且つ製造時の環境負荷を低減することができる。
【００６３】
また、防虫網５０の略全体が第１開口部３０ａを介して内カバー３０の外部に露出するように、第１開口部３０ａを構成したので、内カバー３０及び外カバー２０を設けた場合に、内カバー３０を取り外すことなく防虫網５０のメンテナンス作業を行うことができ、当該メンテナンス作業の効率化を図ることが可能となる。
【００６４】
また、第１開口部３０ａを介して防虫網５０が検出部カバー７０に対して着脱自在となるように、防虫網５０、第１開口部３０ａ、及び検出部カバー７０を構成したので、内カバー３０を取り外すことなく、防虫網５０を検出部カバー７０に対して着脱できる。よって、防虫網５０のメンテナンス作業を容易に行うことができ、防虫網５０のメンテナンス作業の効率化を一層図ることが可能となる。
【００６５】
また、外カバー２０の一部を、防虫網５０が検出部カバー７０から脱落を防止するための脱落防止部１２０として形成したので、防虫網５０が検出部カバー７０から脱落することを防止でき、防虫網５０の取付性を向上できる。また、脱落防止部用の部材を別途設ける必要がないため、脱落防止部１２０の設置性を向上させることができる。
【００６６】
また、防虫網５０及び第２開口部７０ａを、円形状に形成したので、他の形状に比べて防虫網５０及び第２開口部７０ａの加工精度を確保しやすくなることから、防虫網５０及び検出部カバー７０の製造性を高めることができる。また、検出対象の流入方向の依存性を比較的低減でき、特に、周方向のいずれの方向からも検出対象をほぼ同じ様態及びタイミングにて検出空間に流入させやすくなる。
【００６７】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６８】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００６９】
（防虫網について）
上記実施の形態では、防虫網５０が円形状にて形成されていると説明したが、これに限らず、例えば、四角形等の多角形状、又は楕円形状にて形成されてもよい。この場合には、第１開口部３０ａ又は第２開口部７０ａは、防虫網５０と対応する形状に形成されてもよい。
【００７０】
また、上記実施の形態では、防虫網５０が検出部カバー７０に設けられていると説明したが、これに限らない。例えば、検出部カバー７０に加えて、外カバー２０に設けられてもよい（なお、後述するように、図５の内カバー３０に防虫網５０が設けられる場合についても同様とする）。ここで、外カバー２０に設けられる防虫網５０の具体的な構成については任意であるが、例えば、外カバー２０の周縁を覆うことが可能な円筒状体にて形成されてもよい。また、この防虫網５０の孔径は、検出部カバー７０の防虫網５０の孔径よりも大きく設定されたり、又は同一に設定されてもよい。
【００７１】
（防虫網の取付構造について）
上記実施の形態では、第１開口部３０ａを介して防虫網５０が検出部カバー７０に対して着脱自在となるように、防虫網５０、第１開口部３０ａ、及び検出部カバー７０が構成されていると説明したが、これに限らず、例えば、第１開口部３０ａを介して防虫網５０が検出部カバー７０に対して着脱できないように構成されてもよい。一例として、防虫網５０は、検出部カバー７０の下端部において、検出部カバー７０の内側から第２開口部７０ａ全体を覆うように設置してもよい。この場合において、防虫網５０のメンテナンス方法については、上記防虫網５０が凹部１１０から脱落しない程度に嵌合されている場合の方法と同一の方法で行ってもよい。
【００７２】
また、上記実施の形態では、防虫網５０が、検出部カバー７０（具体的には、凹部１１０）において第２開口部７０ａ全体を略覆うように設けられていると説明したが、これに限らない。図５は、内カバー３０の変形例を示す図であり、（ａ）は底面図、（ｂ）は（ａ）のＢ−Ｂ矢視断面図である。図６は、図５の第１開口部３０ａの領域の拡大図を示す図である。例えば、図５、図６に示すように、防虫網５０は、内カバー３０において第１開口部３０ａ全体を略覆うように設けられてもよい。この場合には、例えば、防虫網５０が内カバー３０に対して着脱自在となるように、防虫網５０及び内カバー３０が構成されてもよい。
【００７３】
ここで、内カバー３０の具体的な構成については任意であるが、一例として、図５、図６に示すように、内カバー３０の下側側部の第１開口部３０ａの周縁部に、凹部１３０、第１挟込部１３１、及び第２挟込部１３２が設けられてもよい（なお、このような構成を、防虫網５０を検出部カバー７０に設ける際の検出部カバー７０の構成に適用してもよい）。このうち、凹部１３０は、防虫網５０を収容すると共に、当該凹部１３０によって防虫網５０の縁端部全体が着脱自在に嵌め込むことが可能な凹部であり、凹部１１０と略同様に構成され、第１開口部３０ａの周縁部に形成される。また、第１挟込部１３１は、防虫網５０の縁端部の一部（図５では、左側部分）を着脱自在に挟み込むための挟込手段であり、内カバー３０の下側側部の一部（図５では、左側部分）をＸ−Ｚ平面に沿った断面形状がコ字状となるように形成することで構成される。また、この第２挟込部１３２は、防虫網５０の縁端部の他の一部を着脱自在に挟み込むための挟込手段であり、内カバー３０の下側側部の他の一部（図５では、右側部分）をＸ−Ｚ平面に沿った断面形状がコ字状となるように形成することにより構成される。また、この第２挟込部１３２の具体的な構成については任意であるが、例えば、第２挟込部１３２による防虫網５０の挟み込み量が第１挟込部１３１による防虫網５０の挟み込み量より多くなるように構成されてもよい。一例として、図５（ａ）に示すように、第２挟込部１３２の平面形状の大きさを第１挟込部１３１の平面形状の大きさよりも大きく設定してもよい。あるいは、図６に示すように、第２挟込部１３２の凹部分の深さが第１挟込部１３１の凹部分の深さよりも大きく設定してもよい。また、防虫網５０の具体的な構成については任意であるが、一例として、第１挟込部１３１及び第２挟込部１３２に対して取り付け容易となるように、防虫網５０の径が第１開口部３０ａの径よりも若干大きく、可撓性を有し、且つ薄厚な公知の防虫網を用いて構成されてもよい。以上のような構成により、防虫網５０を内カバー３０に取り付ける際に、図６に示すように、内カバー３０の外側（図５では、下側）から防虫網５０（図６の想像線の部分）を反らせながら第２挟込部１３２に挟み込んだ後、第１挟込部１３１に挟み込むことができる（ただし、これに限らず、内カバー３０の内側（図５では、上側）から防虫網５０を第２挟込部１３２に挟み込んだ後に、第１挟込部１３１に挟み込んでもよい）。よって、内カバー３０を取り外すことなく防虫網５０を内カバー３０に対して着脱自在にできることから、防虫網５０のメンテナンス作業を容易に行うことができ、防虫網５０のメンテナンス作業の効率化を一層図ることが可能となる。また、第１挟込部１３１及び第２挟込部１３２によって防虫網５０を挟み込むので、防虫網５０を内カバー３０に対して強固に取り付けながら、防虫網５０を内カバー３０に対して容易に着脱できる。また、防虫網５０及び第１開口部３０ａの各々を円形状に形成することで、他の形状に比べて防虫網５０及び第１開口部３０ａの加工精度を確保しやすくなることから、防虫網５０及び内カバー３０の製造性を高めることができる。また、検出対象の流入方向の依存性を比較的低減でき、特に、周方向のいずれの方向からも検出対象をほぼ同じ様態及びタイミングにて検出空間に流入させやすくなる。なお、この場合において、脱落防止部１２０は、防虫網５０が内カバー３０から脱落を防止できるように構成されてもよく、例えば、脱落防止部１２０の上下方向の長さを、当該脱落防止部１２０の上端部が防虫網５０と当接可能な長さに設定してもよい。
【００７４】
また、上記実施の形態では、脱落防止部１２０が、第２リブ部２４から形成されていると説明したが、これに限らない。例えば、外カバー２０の部分のうち第２リブ部２４以外の部分から形成されてもよく、一例として、第１リブ部２３から形成されてもよい。あるいは、外カバー２０以外の他の部材から形成されてもよく、一例として、外カバー２０に取り付けられた樹脂材から形成されてもよい。
【００７５】
また、上記実施の形態では、脱落防止部１２０が設けられていると説明したが、これに限らず、例えば、防虫網５０が凹部１１０に対して脱落しない程度に嵌合されている場合には、脱落防止部１２０を省略してもよい。
【００７６】
（付記）
付記１の火災検出装置は、請求項１に記載の火災検出装置は、設置対象物の設置面に取り付けられる火災検出装置であり、監視領域の火災を検出するための火災検出装置であって、検出対象の検出を行う検出空間と、前記検出空間に外乱光が入射することを抑制するための入射抑制手段であって、前記検出空間の外周を覆うように設けられた入射抑制手段と、前記検出空間及び前記入射抑制手段を収容する内側収容手段と、前記内側収容手段を収容する外側収容手段であって、前記検出対象を含む気体を当該外側収容手段に流入出させることが可能な外側収容手段と、前記内側収容手段の側部のうち前記設置面側の側部とは反対側の側部に設けられた第１開口部であって、前記外側収容手段に流入した前記気体を前記内側収容手段に流入させるための第１開口部と、前記入射抑制手段の側部のうち前記設置面側の側部とは反対側の側部に設けられた第２開口部であって、前記内側収容手段に流入した前記気体を前記検出空間に流入させるための第２開口部と、前記内側収容手段又は前記入射抑制手段に設けられた平板状の防虫網であって、前記第１開口部全体又は前記第２開口部全体を略覆うように構成された防虫網と、を備えた。
【００７７】
また、付記２の火災検出装置は、付記１に記載の火災検出装置において、前記防虫網の略全体が前記第１開口部を介して前記内側収容手段の外部に露出するように、前記第１開口部を構成した。
【００７８】
また、付記３の火災検出装置は、付記１又は２に記載の火災検出装置において、前記防虫網を、前記入射抑制手段において前記第２開口部全体を略覆うように設け、前記第１開口部を介して前記防虫網が前記入射抑制手段に対して着脱自在となるように、前記防虫網、前記第１開口部、及び前記入射抑制手段を構成した。
【００７９】
また、付記４の火災検出装置は、付記１又は２に記載の火災検出装置において、前記防虫網を前記内側収容手段において前記第１開口部全体を略覆うように設け、前記防虫網が前記内側収容手段に対して着脱自在となるように、前記防虫網及び前記内側収容手段を構成した。
【００８０】
また、付記５の火災検出装置は、付記１から４のいずれか一項に記載の火災検出装置において、前記外側収容手段の一部を、前記防虫網が前記内側収容手段又は前記入射抑制手段から脱落を防止するための脱落防止手段として形成した。
【００８１】
また、付記６の火災検出装置は、設置対象物の設置面に取り付けられる火災検出装置であり、監視領域の火災を検出するための火災検出装置であって、検出対象の検出を行う検出空間と、前記検出空間に外乱光が入射することを抑制しながら、前記検出対象を含む気体を流入出させることが可能な入射抑制手段であって、前記検出空間の外周を覆うように設けられた入射抑制手段と、前記検出空間及び前記入射抑制手段を収容する内側収容手段と、前記内側収容手段を収容する外側収容手段であって、前記検出対象を含む気体を当該外側収容手段に流入出させることが可能な外側収容手段と、前記内側収容手段の側部のうち前記設置面側の側部とは反対側の側部に設けられた開口部であって、前記外側収容手段に流入した前記気体を前記内側収容手段に流入させるための開口部と、前記内側収容手段に設けられた平板状の防虫網であって、前記開口部全体を略覆うように構成された防虫網と、を備え、前記防虫網が前記内側収容手段に対して着脱自在となるように、前記防虫網及び前記内側収容手段を構成した。
【００８２】
また、付記７の火災検出装置は、付記６に記載の火災検出装置において、前記内側収容手段は、前記内側収容手段の側部のうち前記設置面側の側部とは反対側の側部に設けられた挟込手段であって、前記防虫網を着脱自在に挟み込むための挟込手段を備えた。
【００８３】
また、付記８の火災検出装置は、付記１から７のいずれか一項に記載の火災検出装置において、前記防虫網と、前記第１開口部、前記第２開口部、又は前記開口部とを、円形状に形成した。
【００８４】
（付記の効果）
付記１に記載の火災検出装置によれば、検出空間及び入射抑制手段を収容する内側収容手段と、内側収容手段を収容する外側収容手段と、内側収容手段の側部のうち設置面側の側部とは反対側の側部に設けられた第１開口部と、入射抑制手段の側部のうち設置面側の側部とは反対側の側部に設けられた第２開口部と、内側収容手段又は入射抑制手段に設けられた平板状の防虫網であって、第１開口部全体又は第２開口部全体を略覆うように構成された防虫網と、を備えたので、防虫網の取付作業として、平板状の防虫網を第１開口部全体又は第２開口部全体を略覆うように内側収容手段又は入射抑制手段に取り付けることで足りるため、従来技術（円筒状の防虫網を、内カバーの内部において検知部の外周を覆うように設ける技術）に比べて、防虫網を簡易に取り付けることができ、当該取付作業の効率化を図ることが可能となる。また、防虫網が平板状であるので、円筒状に形成する場合に比べて防虫網を容易に製造でき、且つ防虫網のコンパクト化を図ることができ、火災検出装置の製造コストを低減し、且つ製造時の環境負荷を低減することができる。
【００８５】
付記２に記載の火災検出装置によれば、防虫網の略全体が第１開口部を介して内側収容手段の外部に露出するように、第１開口部を構成したので、内側収容手段及び外側収容手段を設けた場合に、内側収容手段を取り外すことなく防虫網のメンテナンス作業（例えば、清掃作業、洗浄作業等）を行うことができ、当該メンテナンス作業の効率化を図ることが可能となる。
【００８６】
付記３に記載の火災検出装置によれば、第１開口部を介して防虫網が入射抑制手段に対して着脱自在となるように、防虫網、第１開口部、及び入射抑制手段を構成したので、内側収容手段を取り外すことなく、防虫網を入射抑制手段に対して着脱自在にでき、防虫網のメンテナンス作業の効率化を一層図ることが可能となる。
【００８７】
付記４に記載の火災検出装置によれば、第１開口部を介して防虫網が入射抑制手段に対して着脱自在となるように、防虫網、第１開口部、及び入射抑制手段を構成したので、内側収容手段を取り外すことなく、防虫網を入射抑制手段に対して着脱自在にできる。よって、防虫網のメンテナンス作業を容易に行うことができ、防虫網のメンテナンス作業の効率化を一層図ることが可能となる。
【００８８】
付記５に記載の火災検出装置によれば、防虫網が内側収容手段に対して着脱自在となるように、防虫網及び内側収容手段を構成したので、内側収容手段を取り外すことなく、防虫網を内側収容手段に対して着脱自在にできる。よって、防虫網のメンテナンス作業を容易に行うことができ、防虫網のメンテナンス作業の効率化を一層図ることが可能となる。
【００８９】
付記６に記載の火災検出装置によれば、検出空間及び入射抑制手段を収容する内側収容手段と、内側収容手段を収容する外側収容手段と、内側収容手段の側部のうち設置面側の側部とは反対側の側部に設けられた第１開口部と、内側収容手段に設けられた平板状の防虫網と、を備えたので、防虫網の取付作業として、平板状の防虫網を第１開口部全体を略覆うように内側収容手段に取り付けることで足りるため、従来技術（円筒状の防虫網を、内カバーの内部において検知部の外周を覆うように設ける技術）に比べて、防虫網を簡易に取り付けることができ、当該取付作業の効率化を図ることが可能となる。また、防虫網が平板状であるので、円筒状に形成する場合に比べて防虫網を容易に製造でき、且つ防虫網のコンパクト化を図ることができ、火災検出装置の製造コストを低減し、且つ製造時の環境負荷を低減することができる。さらに、防虫網が内側収容手段に対して着脱自在となるように、防虫網及び内側収容手段を構成したので、内側収容手段を取り外すことなく防虫網を内側収容手段に対して着脱自在にできる。よって、防虫網のメンテナンス作業（例えば、清掃作業、洗浄作業等）を容易に行うことができ、防虫網のメンテナンス作業の効率化を一層図ることが可能となる。
【００９０】
付記７に記載の火災検出装置によれば、内側収容手段は、内側収容手段の側部のうち設置面側の側部とは反対側の側部に設けられた挟込手段であって、防虫網を着脱自在に挟み込むための挟込手段を備えたので、防虫網を内側収容手段に対して強固に取り付けながら、防虫網を内側収容手段に対して容易に着脱でき、防虫網のメンテナンス作業の効率化を一層図ることが可能となる。
【００９１】
付記８に記載の火災検出装置によれば、防虫網と、第１開口部、第２開口部、又は開口部とを、円形状に形成したので、他の形状に比べて防虫網と、第１開口部、第２開口部、又は開口部との加工精度を確保しやすくなることから、防虫網と、内側収容手段又は入射抑制手段との製造性を高めることができる。また、検出対象の流入方向の依存性を比較的低減でき、特に、周方向のいずれの方向からも検出対象をほぼ同じ様態及びタイミングにて検出空間に流入させやすくなる。
【符号の説明】
【００９２】
１  火災検出装置
２  設置面
１０  取付ベース
２０  外カバー
２１  外カバー本体
２２  天面部
２２ａ  表示孔
２３  第１リブ部
２４  第２リブ部
３０  内カバー
３０ａ  第１開口部
４０  流入空間
５０  防虫網
６０  検出空間
７０  検出部カバー
７０ａ  第２開口部
８０  検出部本体
９０  端子盤
９１  取付部材
１００  基板
１０４ａ  ライトガイド
１１０  凹部
１２０  脱落防止部
１３０  凹部
１３１  第１挟込部
１３２  第２挟込部
【図１】
2020003844.tif 000003
【図２】
2020003844.tif 000004
【図３】
2020003844.tif 000005
【図４】
2020003844.tif 000006
【図５】
2020003844.tif 000007
【図６】
2020003844.tif 000008
【手続補正書】
【提出日】平成31年4月23日(2019.4.23)
【手続補正１】
【補正対象書類名】明細書
【補正対象項目名】００８６
【補正方法】変更
【補正の内容】
【００８６】
付記３に記載の火災検出装置によれば、第１開口部を介して防虫網が入射抑制手段に対して着脱自在となるように、防虫網、第１開口部、及び入射抑制手段を構成したので、内側収容手段を取り外すことなく、防虫網を入射抑制手段に対して着脱自在にできる。よって、防虫網のメンテナンス作業を容易に行うことができ、防虫網のメンテナンス作業の効率化を一層図ることが可能となる。
【手続補正２】
【補正対象書類名】明細書
【補正対象項目名】００８７
【補正方法】変更
【補正の内容】
【００８７】
付記４に記載の火災検出装置によれば、防虫網が内側収容手段に対して着脱自在となるように、防虫網及び内側収容手段を構成したので、内側収容手段を取り外すことなく、防虫網を内側収容手段に対して着脱自在にできる。よって、防虫網のメンテナンス作業を容易に行うことができ、防虫網のメンテナンス作業の効率化を一層図ることが可能となる。
【手続補正３】
【補正対象書類名】明細書
【補正対象項目名】００８８
【補正方法】変更
【補正の内容】
【００８８】
付記５に記載の火災検出装置によれば、外側収容手段の一部を、防虫網が内側収容手段又は入射抑制手段から脱落を防止するための脱落防止手段として形成したので、防虫網が内側収容手段又は入射抑制手段から脱落することを防止でき、防虫網の取付性を向上できる。また、脱落防止手段用の部材を別途設ける必要がないため、脱落防止手段の設置性を向上させることができる。